(57)【要約】【課題】  記憶媒体から任意のページを抽出をして敏速に表示する操作スイッチを設け、さらに片手保持で安定して読書が出来るように角度を調節する装置を設ける。また、使用者が独自性を生かせるように、筐体の表紙の部分と左右表示部分に視覚的要素のものを取付けて交換式とする。【解決手段】  従来の操作スイッチとは別に、０〜９までの数字を呼び出すテンキー７２と、呼出したページを表示するページ表示７３と、表示したページを中央処理部に発信する実行ボタン７４と、操作を初期状態に戻すクリアボタン７５とで構成した指令スイッチ装置７１を設ける。また、任意角度を設定する手段として、携帯用電子図書の蝶番部にＶ字目嵌合の角度調節装置５１を設ける。さらに、表紙に相当する左右側面１２、２２を矩形に開口して写真、絵画等をプリントした交換式パネル１３、２３を取付け、左右表示部１１、２１のフレーム１４、２４を複数色で構成した交換式とする。【選択図】  図３
2005107467.tif 000002
【特許請求の範囲】
【請求項１】
蝶番部を基軸に左右方向へ最大１８０度まで見開きが可能で、電子教科書および電子書籍の機能を有する左右表示の携帯用電子図書において、
任意のページを表示する指令スイッチ装置を設けたこと、蝶番部の上面付近に角度調節装置を設けたこと、蝶番部の底面に電源スイッチを設けたこと、表紙に相当する左右の側面を矩形に開口して交換式プレートを設けたこと、左右表示部のフレームを複数色で構成して交換式としたこと、筐体の接合にピポット式ピン金具を使用したことを特徴とする携帯用電子図書の構造。
【請求項２】
請求項１記載の任意のページを表示する指令スイッチ装置を、テンキー、表示部、実行ボタン、クリアボタンとで構成してカード形状のキーパッドとしたことを特徴とする携帯用電子図書の構造。
【請求項３】
前記指令スイッチ装置を、通常は左右表示部の一方の内部に収納手段を設けて収納し、使用する際は所定の位置まで引出してボタン操作ができる構成としたことを特徴とする請求項１または２記載の携帯用電子図書の構造。
【請求項４】
前記指令スイッチ装置がしおりページスイッチとインデックススイッチの機能を備えていることを特徴とする請求項１、２または３記載の携帯用電子図書の構造。
【請求項５】
前記指令スイッチ装置を収納する表示部の下部に、操作に必要な従来スイッチを配置したことを特徴とする請求項１から４のいずれか１項記載の携帯用電子図書の構造。
【請求項６】
前記左右表示部の両下端を両手で保持して読み上げ状態にある時、保持している片方の親指の届く範囲に従来スイッチのページ送りスイッチと、しおり設定・解除スイッチを配置したことを特徴とする請求項５記載の携帯用電子図書の構造。
【請求項７】
請求項１記載の蝶番部の上面に設けた角度調節装置は、主軸となる円筒形部材の上部半径をＶ字目に形成し、下部を開き止めの鍔付き爪に形成して蝶番間に取付けたことを特徴とする携帯用電子図書の構造。
【請求項８】
前記円筒形部材の上部Ｖ字目と接合する上方蝶番の片側を、Ｖ字目鍔付きに形成して嵌合させることにより、９０度〜１８０度の間を任意の角度に設定できたことを特徴とする請求項７記載の携帯用電子図書の構造。
【請求項９】
前記円筒形部材の下部の爪と接合する下方蝶番の片側半径以上を、鍔状に形成したことで、角度設定間の開閉が何度でも可能にしことを特徴とする請求項７または８記載の携帯用電子図書の構造。
【請求項１０】
前記角度調節装置の円筒形部材を上下スライドまたは回転操作する心棒と、この心棒を作動させるコイルスプリングを蝶番の軸芯に内蔵し、さらに、心棒の先端部分を蝶番部の上面に出してノックキャップを取付けたことを特徴とする請求項７、８または９記載の携帯用電子図書の構造。
【請求項１１】
前記ノックキャップは蝶番部と同径として、角度設定の状態のときに携帯用電子図書の上面と水平になるように設けたことを特徴とする請求項７から１０のいずれか１項記載の携帯用電子図書の構造。
【請求項１２】
前記ノックキャップを指で押すと設定角度が解除となり、ノックキャップから指を離すと角度設定の状態になる構成としたことを特徴とする請求項１０または１１記載の携帯用電子図書の構造。
【請求項１３】
請求項１記載の筐体に相当する左右側面の開口部に取付ける交換式プレートに、視覚的要素を有するものをプリントしたことを特徴とする携帯用電子図書の構造。
【請求項１４】
前記交換式プレートにプリントする視覚的要素を有するものを、使用者が自由に選択できる構成としたことを特徴とする請求項１３記載の携帯用電子図書の構造。
【請求項１５】
請求項１記載の左右表示部の交換式フレームを、目の疲れを軽減する色彩で構成したことを特徴とする携帯用電子図書の構造。
【請求項１６】
請求項１記載の筐体接合に使用するピポット式ピン金具を、左右表示部の上面後方付近、底面後方付近、正面上下付近に内蔵して、前記交換式フレームの外側からピン操作できる構成としたことを特徴とする携帯用電子図書の構造。
【発明の詳細な説明】
【技術分野】
【０００１】  本発明は、電子教科書および電子書籍としての機能を有する左右表示の携帯用電子図書の構造に関する。
【背景技術】
【０００２】  左右表示部を有する携帯用電子図書においては、電子表示装置または電子ブック等の名称で知られており、この電子表示装置または電子ブック等は、記憶媒体から文字情報や画像情報などを抽出して表示する手段として、ページめくりスイッチ、インデックス送りスイッチ、モード設定スイッチ、しおり設定・解除スイッチまたは、それらの機能を備えたスイッチ等を配備している（例えば、参考文献１または２参照）。【０００３】  また、従来の左右表示部を有する携帯用電子図書（電子表示装置）にあっては、蝶番部（ヒンジ部）の一方の端を片手で保持し、その保持した片手の指が届く範囲の蝶番部または蝶番部の近くに、操作スイッチまたは操作スイッチ機能を有する背面露出の回動スイッチを配置したものもある（例えば、参考文献１参照）。【０００４】  また、従来の携帯用電子図書（片手支持型表示装置）にあっては、任意角度の設定を、左右表示部の回転軸となる中心部に折曲げ自在の大小の蝶番を取付け、これに所定量以上の力を加えて左右表示部を開閉動作することで、蝶番部分に摩擦力が発生して一時的に任意の見開き角度に固定または半固定したものもある。
さらに、前記固定または半固定を摩擦力以外に、蝶番部にストッパーなど従来周知の方法で工夫して９０度から１８０度までの間を５段階に角度設定する方法もあるとされている（例えば、参考文献３参照）。【０００５】  また、従来の携帯用電子図書（携帯用電子機器）にあっては、本文の題目または挿絵、図面、写真など書誌的事項を、左右表示部（本文表示部）の一角にスペース設けて表示し、さらに、この書誌的事項が、筐体を閉じた状態でも筐体の外観から確認できるように、表表紙と背表紙に相当する部分にも液晶表示素子の書誌表示装置を備えたものもある（例えば、参考文献４参照）。
【特許文献１】    特開２００３−１９６０１２号  公報
【特許文献２】    特開２００１−１０１２０２号  公報
【特許文献３】    特開２００１−１７５１９１号  公報
【特許文献４】    特開２００２−１０８２５４号  公報
【発明の開示】
【発明が解決しようとする課題】
【０００６】  以上に述べた従来の左右表示部を有する携帯用電子図書（電子表示装置、電子ブック）には、ページの順めくり、飛ばしめくり、インデックス送り、モード設定、しおり設定・解除など、左右表示部を機能させるのに必要な操作スイッチが構成されている。しかし、学校の授業で（例えば、先生に何ページを開いて）と教科書の任意のページを指示された場合は、前記の何れか一つまたは何れか二つのスイッチを操作して指示されたページをめくるため、時間がかかるという問題点がある。【０００７】  また、従来の携帯用電子図書（電子表示装置）は、使用者（ユーザー）が左右表示部の蝶番部（ヒンジ部）を片手で保持し、その保持した片手の指でスイッチ操作ができることを想定した構成としており、特に、頻繁に操作するページめくりスイッチまたは背面露出の回動スイッチを、操作する指の届く範囲の蝶番部または蝶番部に近い位置に配置してある。しかしながら前記教科書のように授業で指名されて（起立した状態）読み上げるときは、携帯用電子図書（電子表示装置）の下方両端部を両掌で支えて親指で押える形またはそれに近い形をとるため、読み上げの途中でページをめくる動作があると、保持している両手または片手を一度蝶番部に移動（持ち替え）しなければならないという問題点がある。【０００８】  また、前記従来の携帯用電子図書（電子表示装置）を、教科書のように授業等で机上に水平の状態に開いて使用する際、前記背面露出型の回廊スイッチの蝶番部分が水平にならず不安定な状態となる。さらに、回廊スイッチと机の間に摩擦が発生またはは机上に障害（例えば、凹凸等）があると、スムーズに作動しないという問題点がある。【０００９】  また、前記携帯用電子図書（片手支持型表示装置）を、任意の角度に開いて片手のみで安定して保持する手段として、左右表示部の基軸となる蝶番部に従来周知の折曲げ自在の大小蝶番（ヒンジ）を取付ける構造としており、この蝶番構造とした左右表示部に所定量以上の力を加えて開閉することで、蝶番部に摩擦力が発生して任意の角度に固定または半固定されて安定した片手保持ができる構成としている。しかし、前記固定または半固定した携帯用電子図書を一度閉じて、元の見開き角度に戻すには、再度、角度を設定する必要があるという問題点がある。【００１０】  前記任意角度の設定方法として、前記折曲げ自在蝶番にストッパーまたはその他の方法により１８０〜９０度までの間を５段階に角度設定すると示唆されいるものの、具体的な発明の開示がなされていない。【００１１】  また、従来の携帯用電子図書（携帯用電子機器）では、書誌的事項を本文表示画面内の下部付近にスペースを設けて表示する画面構成としている。しかし、この画面構成では、重要な本文表示のスペースが縮小されるだけでなく、左右表示部の妨げになるという問題点がある。【００１２】  上記書誌表示を本文表示内だけでなく、表表紙と背表紙に液晶表示素子を用いているため、書誌的事項が敏速に表示できる効果と、外観から書誌的事項が確認できる効果があるものの、教科書のように、授業ごとに記憶媒体を入れ替える使用方法では効果が低い。また、表表紙と背表紙部分に、液晶表示素子を保護する処置が施されておらず、携帯���て使用する際には外部からの衝撃に対する対策が必要という問題点がある。
【課題を解決するための手段】
【００１３】  本発明は、上記任意ページ入力の課題を達成するため、従来の操作スイッチとは別に、０〜９までの数字を打ち込むテンキーと、打ち込んだページを確認するページ表示と、表示したページを中央処理装置に入力する実行ボタンと、前記操作を初期状態に戻すクリアボタンとで構成した指令スイッチ装置を設ける構成とする。【００１４】  前記構成とした指令スイッチ装置を機能させる手段として、中央処理装置に任意のページと特定のページを記録する不揮発生のメモリーと、この任意のページまたは特定ページを記憶媒体から読み取るメモリーと、電源をＯＦＦにしても表示されたページが消えない不揮発生のメモリー機能とを備えたＲＯＭと、データーを一時的に記録するメモリーＲＡＭとを搭載する。【００１５】  前記ＲＯＭとＲＡＭを搭載する中央処理装置内の各処理部は、従来の処理部の他に、前記指令スイッチ装置を操作して処理するページ細分化処理部と、任意ページ表示処理部と、特定ページ表示処理部と、検索処理部とを有する。【００１６】  携帯用電子図書は、図書（教科書または書籍）の文字や画像を記録した記憶媒体が自在に装填できる記憶媒体格納手段を搭載しており、この格納手段に格納する全てのデーターに図書のイメージを持たせることを予め定義。あるいは図書を単元またはチャプターなどの詳細項目に分類しておく。前記ページ細分化処理部は、この分類した図書データーを左右表示部に表示できる量に細分化し、その片側に表示できる量を１ページと定義してＲＯＭに記憶する処理部であり、さらに、ＲＯＭに記憶した図書データーのページを目次データーと定義して、しおり・インデックス機能との整合性をはかる。前記任意ページ表示処理部は、任意ページ（１ページ）をＲＯＭから読み出して表示させる処理部であり。前記特定ページ表示処理部は、しおりまたはインデックスページをＲＯＭから読み出して表示させる処理部であり。前記検索処理部は、図書のインデックスを検索して該当する書誌事項（題目または目録）をＲＯＭから読み出して表示させる処理部である。【００１７】  以上処理部の構成構成により、任意ページを敏速に表示することが可能であり、さらに、従来しおり・インデックス送りスイッチを操作して表示するしおりページ表示とインデックス表示を、前記指令スイッチで表示することが可能となる。また目次画面にタッチパネルを内蔵することにより、しおりまたはインデックス送りが容易に可能となる。【００１８】  前記指令スイッチ装置をカード形状のキーパッドにして、通常は左右表示部の一方の正面下部内に収納手段を設けて収納し、使用する際には、イジェクトボタンを押して操作ができる所定の位置まで引き出せる構成とする。この構成により、左右表示部の下部に設ける操作スイッチのスペースを簡素にすることが可能となる。【００１９】  上述全ての装置を起動する電源スイッチを、蝶番部の底面に設ける構成とする。電源スイッチは、従来周知の捻り式スイッチを使用し、一方に捻るとランプが点灯してＯＮになり、反対に捻るとランプが消えてＯＦＦになる構成とする。この構成により、電源スイッチをを誤って押す心配がなく、また、携帯用電子図書を閉じた状態でもスイッチの確認が可能となる。【００���０】  さらに、本発明は、従来の角度設定の課題を達成するため、携帯用電子図書の蝶番部の上面付近の蝶番と蝶番の間に円筒形部材を有するの角度調節装置を取付ける構成とする。まず、角度設定を安定した嵌合式とするため、円筒形部材の上部半径と、この円筒形部材の上部と接合する上方蝶番の片側半径をＶ字目に形成する。
さらに、設定角度間の開閉が可能になるように、円筒形部材の下部に開き止めの鍔付き爪を設け、この鍔付き爪と接合する下方の蝶番に開閉用の鍔を設ける。【００２１】  さらに、上記円形部材を上下スライドまたは回転操作する心棒と、この心棒を作動してＶ字目同士を嵌合させるコイルスプリングを蝶番の軸芯に内蔵し、操作が蝶番部の上面からできるように、心棒の先端を蝶番部の上面に出してノックキャップを取付ける。以上の構成により、９０度から１８０度までの任意角度の設定を確実で容易にすることが可能となり、さらに、任意角度に設定した状態で携帯用電子図書を一度閉じて、再び元の角度に開く場合、改めて角度設定することなく、その間の開閉が何度でも可能となる。【００２２】  さらに、本発明は従来の書誌表示の課題を達成するため、携帯用電子図書の書誌表示を、本文を表示する左右表示部の一方の下部に表示スペースを設け、書誌も、表示書物が認識できる題目または目録のみを表示する構成とする。この構成により書誌表示で左右表示部を妨げることなく本来の本文のみの表示が可能となる。また書誌表示部を目録が表示できる構成としたことで書誌の用途を満たす。【００２３】  また、従来書誌表示装置を設けている表紙に相当する左右側面の一部を、矩形に開口して、この開口部に視覚的要素を有するもの（例えば、写真、絵画または漫画等）をプリントした交換式パネルを取付ける構成とする。この構成により、使用者が自分趣向のものをプリントして取付けることができて独自性を活かすことが可能となる。また、液晶表示素子のように外部からの衝撃に対する防護策の必要がなく安心して携帯または使用することが可能なる。【００２４】  さらに、本発明は左右表示部のフレームを下記に示す要件を備えて構成した。上記左右表示部のフレームを、目に優しい色（例えば、薄青緑系、薄茶色系、薄赤黄色系など）で構成した交換式とする。この色の機能を効果的に活用することで、表示画面を長時間見続けることで起こる目の疲労を軽減することが可能となる。【００２５】  さらに、本発明では、携帯用電子図書の接合にピポット式金具を取付ける構成とする。この構成により、筐体の分解または接合を容易にすることが可能となる。
【発明の効果】
【００２６】  上述した形態で実施される本発明の携帯用電子図書は、以下に記載されるような効果を奏する。【００２７】  左右表示の携帯用電子図書に、任意のページを表示する指令スイッチ装置を設けたことで、授業のとき（先生に、何ページを開きなさい）と勉強をするページを指示された時、従来の操作スイッチに比べて敏速にページ表示ができる効果がある。【００２８】  前記任意ページを表示する指令スイッチ装置を、左右表示部内に収納装置を設けて収納し、使用する際に所定の位置まで引出して操作する構成としたことで、左右表示部の操作スイッチ部分を簡素にする効果がある。【００２９】  さらに、前記指令スイッチを使用してしおりページ表示と、インデックスページ表示ができることで、従来のしおり・インデックススイッチまたはそれらの機能の操作スイッチを減らす効果がある。【００３０】  携帯用電子図書を起動する電源スイッチを、蝶番部の底面に設けてランプ付きの捻り式スイッチとしたことで、使用時に誤ってボタンを押して電源を切る心配がなく、さらに、携帯用電子図書を閉じた状態でも電源スイッチのＯＮとＯＦＦが確認できる効果がある。【００３１】  携帯用電子図書の蝶番部に、Ｖ字目同士を嵌合させる角度調節装置を設けたことで、従来の摩擦式の角度調節装置に比べて正確で安定した角度設定が可能となる。さらに、角度設定した状態の携帯用電子図書を一時的に閉じて再び開く場合でも、従来のように改めて角度設定する必要がなく、前記設定した角度間は何度でも開閉できる効果がある。【００３２】さらに、角度調節を蝶番部の上面に設けたことで、読書の最中でも携帯用電子図書を保持している片手に支障をきたすことなく角度設定を変更できる効果がある。【００３３】  携帯用電子図書の表紙に相当する左右側面に、写真、絵画または漫画など視覚的要素を有するものをプリントして交換式パネルとしたことで、使用者が自分の趣向を生かした自由なプリント構成にすることができる効果がある。【００３４】  携帯用電子図書の左右表示部のフレームを、目に優しい複数色（例えば、薄青緑系、薄茶色系、薄赤黄色系等）で構成としたことで、表示画面を見続けると起こる目の疲れを軽減し、落ち着いた雰囲気で授業や読書ができる色の効果が得られる。【００３５】  携帯用電子図書の筐体の接合に、ピポット式金具を使用したことで、プレートの交換、フレームの交換、内蔵電池の交換あるいは修理などの際、分解または組立が容易にできる効果がある。
【発明の実施するための最良の形態】
【００３６】  以下、本発明の実施の形態を添付図１から図１０に基づいて説明する。
【００３７】  図１は、携帯用電子図書を水平に開いて伏せた外観図を示し、図２は、外観図のＡ−Ａ’部分の断面図を示す。
携帯用電子図書の表紙に相当する左右側面１２、２２の一部を矩形に開口し、この開口部に写真、絵画または漫画等をプリントした交換式プレート１３、２３を矩形開口部より大きめに製作して筐体の内側から取付ける構成とする。また、前記携帯用電子図書を教科書のように机上で水平に開いて使用することを想定して、図１と図２に示すように、水平に開いたとき基軸の蝶番部が筐体の内側に納まる隠し蝶番になるようにする。
筐体本体と交換式プレートおよび交換式フレームの素材は、機械的強度に優れた周知の熱可塑性樹脂（例えば、ポリカーボネート）を使用することが望ましい。
【００３８】  図３は、左右に見開いた携帯用電子図書の平面図を示す。
本発明の携帯用電子図書を、机上など水平な場所で１８０度に開いて使用することと、片手で保持して半開き（９０度から１８０度未満）の状態で使用することを想定して、基軸となる蝶番３１、４１の間に角度調節装置を設けて任意角度の設定ができる構成とする。角度調節装置については後述の図５、図６蝶番部の拡大詳細図の欄において詳しく説明する。
【００３９】  前記携帯用電子図書の表示素子（１０６、１０７、１０８）を、周知の有機ＥＬ（Ｅｌｅｃｔｏｒｏ  Ｌｕｍｉｎｅｓｃｅｎｃｅ）素子の構成とする。また、左右表示部の一方（図面では、左側表示部１１）の下部に配置する書誌表示素子１０８のサイズは本文の題目または目録が表示できる範囲とする。
有機ＥＬ表示素子は、画素の一つ一つにメモリーと駆動用トランジスターを配して発光を制御するアクティブマトリクス方式を使用することが望ましい。
【００４０】  前記左右表示素子１０６、１０７と書誌表示素子１０８の固定と、内部の部材を覆うフレーム１４、２４を、複数色（例えば、薄青緑系、薄茶色系、薄赤黄色系）等で構成した交換式とする。また、蝶番部と接するフレーム部分が浮き上がらないように鈎爪１４ａ、２４ａをもうける。フレームは所定量の力の範囲で上から被せるように装着し、所定量の力の範囲で持ち上げて取り外す。
【００４１】  さらに、任意のページを表示する指令スイッチ装置の構成について説明する。
指令スイッチ装置７１は、０〜９までの数字を打ち込むテンキー７２と、打ち込んだページを確認するページ表示７３と、表示されたページを中央処理部（ＣＰＵ）に入力する実行ボタン７４と、操作を初期状態に戻すクリアボタン７５と搭載したカード形状のキーバッドに構成して、通常は左右表示部の一方（図では、右表示部２１）の正面下部付近内に収納装置２５を設けて収納し、使用する際は収納装置に設けたイジェクトボタン２５ａを押して操作ができる所定の位置まで引き出す。
【００４２】  さらに、引き出した指令スイッチ装置が浮いた状態にならないように、先端部分を矩折り７１ａにして水平に形成し、この矩折りの部分が当る表紙（右側面２２）を図６の斜視図で示すように欠き込みとする。指令スイッチの収納する際は、出てきた方向へ「ガチャ」と音がしてイジェクトボタン２５ａが飛び出すまで押し戻して収納する。
【００４３】  指令スイッチと同一の表示部の下部に配置する従来周知の操作スイッチのうち、しおり送りスイッチ２、３と、しおり設定・解除スイッチ４を、携帯用電子図書を左右に開いて両下端を両手の掌で保持した状態で親指が届く範囲に配置する。
携帯用電子図書には、図示しない従来周知の他の操作スイッチも設けられている。
【００４４】  また、前記基軸の底面部の蝶番４３に取付けるランプ付き電源スイッチ６２は、従来周知の捻り式スイッチで形成し、キャップを一方に捻るとランプが付いてＯＮになり、反対に捻るとランプが消えてＯＦＦになる構成とする。
【００４５】  左右表示部の中央先端部に設けた周知の開閉ボタン１６、２６は、図４斜視図のように携帯用電子図書を閉じたとき、自動的にロックする構造となっており、開く際は符号１６と連動した押しボタン１７を押して開く構成となっている。
【００４６】  図４は、携帯用電子図書を閉じた斜視図で、矢印Ａ方向を正面、反対側を背面、矢印Ｂ方向を右側面、反対側を左側面、矢印Ｃ方向を底面、反対側を上面とする。符号１は左右二等分とした携帯用電子図書の嵌合部で、機軸となる蝶番部に設ける角度調節装置５１のノックキャップ５５を携帯用電子図書の上面と水平になるように蝶番部の上面に設ける。また、左右表示部の一方（図では、右表示部２１）の正面下部内に収納する指令スイッチ装置７１がおさまる収納装置２５の表紙部分を、図示のよに矩折り７１ａの厚みの分を欠込み加工する。図示の筐体を接合する周知のピポット式ピン金具６３は、ピンの先端部分が交換フレームｌ４，２４側に向くように左右表示部１２、２２の内部の上面後部、底面後部、正面上下部付近に配置する。ピン操作は、ピン先端部分を棒状（例えば、シャープペンの先）などで押すとピンが中に引っ込み、もう一度押すとピンが飛び出す構成となっている。
【００４７】  図５、図６は、蝶番と角度調節装置の納りを拡大して平面と断面で構成した詳細図で、図５は角度設定の状態を示し、図６は蝶番部の上面に設けたノックキャップ５５を押して角度設定を解除した図を示す。
角度調節装置５１の円筒形部材５２を、蝶番３１と４２の間に取付ける構成とするため、まず、左右表示部を１８０度に開いた一方（図では、左表示部１１）の蝶番３１の片側（円筒形部材と接する側）を９０度（垂直）の位置から外方向（図では、右表示部２１方向）１８０度までの半径を、２ｍｍ程度の谷になるようにＶ字目鍔付き３１ａに形成し、もう一方（図では、右表示部２１）の蝶番４２の片側（円筒形部材と接する側）を９０度の位置から外方向（左表示部１１の方向）約１６０度までを鍔状４２ａに形成する。
【００４８】  前記に形成した蝶番３１、４２の間に取付ける円筒形部材５２は、蝶番と同径として、上部を蝶番３１のＶ字目と嵌合するように９０度〜１８０度間をＶ字目５２ａに形成し、蝶番４２の鍔４２ａと接合する下部は、９０度の位置から（右表示部２１の開く方向へ）幅５ｍｍ程度で片側曲面の爪５２ｂを設け、内部には、回転した円筒形部材を９０度の位置まで戻す爪５２ｃを設ける。
【００４９】  さらに、前記円筒形部材を上下スライドまたは回転操作する心棒５３と、心棒を押し上げてＶ字目３１ａと５２ａを嵌合するコイルスプリング５４を蝶番部の軸芯６１に内蔵し、この内蔵した心棒が抜けないように内側の先端付近に鍔５３ａを設け、さらに、その先端部分に、前記円筒形部材を９０度の位置まで戻す爪５３ｂを円筒形部材の爪５２ｃと接合するように設ける。また、心棒の反対側の先端部分は蝶番部の上方に出してノックキャップ５５を取付ける。
【００５０】  さらに、左右示部の蝶番３１、３２、４１、４２、４３と、円筒形部材５２を回転動作させる軸芯を上中下に分離する形式とし、上方の軸芯６１は、蝶番３１に固定または一体型として蝶番４１と円筒形部材の上部と接続。中方の軸芯６１ａは、蝶番４２の上部に固定または一体型として円筒形部材の下部と接続。下方の軸芯６１ｂは、蝶番３２の固定して蝶番４２と４３と接続する。また、左右表示部を繋ぐ配線類は、蝶番４２の空間部分を利用する。
【００５１】  以上に形成した角度調節装置５１は、蝶番部上面に取付けたノックキャップ５５を指で押すと、蝶番３１とＶ字に嵌合していた円筒形部材５２が心棒５３によって押し下げられて図６のように分離する。その分離した状態で左右表示部の一方（図では、右表示部２１）を任意の角度まで開きノックキャップから指を離すと角度が設定される。
【００５２】  図７は、携帯用電子図書を一部分解した斜視図を示す。
媒体挿入部１８は、操作スイッチ群を配置しない左右表示部の一方（図では、左表示部１１）の底面に設けるとしているが、正面または上面に配置する方法もある。
【００５３】  図８は携帯用電子図書の内部構成を示す。
携帯用電子図書の左右表示部１１、２１の内部は、全体的な制御処理を行なう中央処理装置（ＣＰＵ）１０１を中心に、周辺装置の指令スイッチ装置信号入力部１０２と、従来スイッチ信号入力部１０３と、記憶媒体読み出し部１０４と、表示駆動部１０５と、本文表示素子１０６、１０７、書誌表示素子１０８の構成とする。
【００５４】  中央処理装置（ＣＰＵ）１０１は、テキストデーターと画像データーを取り扱うデジタル静止画像の処理を行うマイクロコンピューターと、全体的な制御処理を行なうマイクロコンピューターと、左右表示部の動作に必要なプログラムを記録しているメモリーＲＯＭ１１１と、データーを一時的に記録するＲＡＭ１１２を搭載している。
【００５５】  指令スイッチ信号入力部１０２は、中央処理装置と接続されていて、指令スイッチ装置７１が発信した複数のデーター（任意ページ、しおりページ、インデックスページおよび書誌表示等）を中央処理装置に入力する処理部である。
【００５６】  従来スイッチ信号入力部１０３は、中央処理装置と接続されていて、従来スイッチの２、３、４または図示しない従来スイッチが発信したデーター（ページ送り、しおり設定・解除、その他の信号）を中央処理装置に入力する処理部である。
【００５７】  記憶媒体読み出し部１０４は、中央処理装置と接続されていて、指令スイッチ装置信号入力部または従来スイッチ信号によって指定されたデーターを記憶媒体から読み出す処理部である。
【００５８】  表示駆動部１０５は、中央処理装置と表示素子とに接続されていて、中央処理装置が読み出して制御処理したデーターを、本文表示素子１０６、１０７または書誌表示素子１０８に駆動する処理部である。
【００５９】  本文表示素子１０６、１０７は、表示駆動部１０５と接続されていて、中央処理装置が制御処理して表示駆動部に発信したデーターを表示する処理部である。
【００６０】  書誌表示素子１０８は、表示駆動部１０５と接続されていて、中央処理装置で制御処理して記録した書誌的事項（題目または目録等）を表示駆動部を通じて表示する処理部である。
【００６１】  図９は中央処理装置（ＣＰＵ）内の各処理部を示す。
中央処理装置１０１は、従来の処理部の他に、指令スイッチ信号入力部が発信したデーターを処理するページ細分化処理部１１３と、任意ページ表示処理部１１４と、特定ページ表示処理部１１５と、検索処理部１１６とを有する。
【００６２】  ページ細分化処理部１１３は、記憶媒体に格納されているデーターを左右表示部に表示できる量に細分化して、その片側に表示できる量を１ページと定義してＲＯＭ１１１に記録する処理部である
【００６３】  任意ページ表示処理部１１４は、指令スイッチ信号入力部１０２が発信した任意のページを、ＲＯＭ１１１から読み出して画面表示させるための処理部である。
【００６４】  特定ページ表示処理部１１５は、指令スイッチ信号入力部１０２が発信したインデックスまたはしおりページを、ＲＯＭ１１１から読み出して画面表示させるための処理部である。
【００６５】  検索処理部１１４は、指令スイッチ信号入力部１０２が発信した図書のインデックスを検索して該当する書誌を、ＲＯＭ１１１から読み出して画面表示させるための処理部である。
【００６６】  図１０は、携帯用電子図書を機能させる制御処理のフローチャートを示す。
制御手順はルーチン構成で、ステップＳ１２０で電源をＯＮにすると、ステップＳ１２１において携帯用電子図書の各構成部分をリセットする初期化を行なう。次にステップＳ１２２において、記憶媒体読み出し部１０４が該当するデーターを読み込む。データーには表示形式の他に、書式（横書き、縦書き）および方向（右めくり、左めくり）を示す情報と目次項目が入力されている。
【００６７】  ステップＳ１２３の初期利用において、図書データーの題目または目録を表示する書誌表示Ｓ１４０を読み込み、書誌表素子１０８に画面表示Ｓ１４１する。書誌表示の画面表示は書式に関係なく横書に表示される。また、ステップＳ１２４目次表示において、図書データーの目次を書式（例えば図書データーが横書きの場合は左表示素子１０６に表示し、縦書きの場合は右表示素子１０７）に応じて画面表示Ｓ１４３し、初めて使う終了データーがＳ１４７のページ記憶データーにない初期であれば、右表示素子１０８に第１ページを表示する。縦書きの場合はその反対になり、初期でない場合は、終了したページを表示する。
【００６８】  続いてステップＳ１２６において、左右矢印のページ送りスイッチ２、３の操作が確認されると、Ｓ１４４でページ送り処理される。この処理された図書データーは左右表示素子１０７、１０８に図書データーが表示される。さらに、ページ送りスイッチ（例えば、ページ送りスイッチ３）を操作すると、左表示素子１０７に図書データーが表示され、同時に、右表示素子１０８に新たな図書データーが表示される。ページ送りスイッチ２が操作した場合は、逆に表示更新される。
【００６９】  ステップＳ１２７においての、しおり設定・解除操作には、タッチパネル操作としおり設定・解除スイッチ４を操作する２通りの方法があり、タッチパネル操作は図書データーのページ部分をタッチすると設定となり、もう一度タッチすると解除となりＳ１４５で設定・解除の処理をする。また、しおり設定・解除スイッチ３を操作すると、スッテップＳ１２５で表示されているページが、しおり設定済みか否かを判定し、設定済であればステップＳ１４６でしおり解除を行ない、未設定であればステップＳ１４６でしおり設定する。
【００７０】  また、ステップＳ１２８において、目次・しおりスイッチが押されＹＥＳになった場合、図書データーは左右表示素子１０７、１０８のどちらかに１ページ分だけ表示し、残った表示素子に目次・しおり画面を更新する。
【００７１】  上記目次・しおりがＮＯになって変更された場合は、Ｓ１４２で予め教科書データーとして入力されているＳ１４２の一覧表を表示して、ページ番号をタッチパネルで操作をするか、指令スイッチ装置でページを指定のうえ左右表示素子１０６、１０７表示する。
【００７２】  ステップＳ１２９において、電源ＯＦＦが指令されたか否かを判定し、ＯＦＦ指令がなければステップ１２６に戻り、ＯＦＦ指令があればＳ１４７で記憶部ＲＯＭ２１に図書の最終ページを記憶してＳ１３０で電源ＯＦＦとする。
【００７３】  本発明に係わる上述の図８の携帯用電子図書の内部構成、図９の中央処理装置内の各処理部および図１０の制御処理のフローチャートにおいては、その要旨の範囲内で種々に変更することが可能である。さらに、携帯用電子図書のコンテンツを記憶媒体から入力する構成としているが、インターネットなどのネットワークを介して入力することが可能であり、入力を無線通信で構成することも可能である。
【図面の簡単な説明】
【００７４】
【図１】    携帯用電子図書を水平に開いて伏せた外観図
【図２】    外観図のＡ−Ａ’部分の断面図
【図３】    携帯用電子図書を水平に開いた平面図
【図４】    携帯用電子図書を閉じた斜視図
【図５】    角度設定状態の蝶番部分を拡大した詳細図
【図６】    角度解除状態の蝶番部分を拡大した詳細図
【図７】    携帯用電子図書を半開にきした斜視図の一部分解図
【図８】    携帯用電子図書の内部構成を示すブロック図
【図９】    中央処理装置内の各処理部と周辺処理部の回路ブロック図
【図１０】    書籍データーの表示処理手順を示すフローチャート
【符号の説明】
【００７５】    １    嵌合部
２    しおり送りスイッチ
３    しおり送りスイッチ
４    しおり設定・解除スイッチ
１１    左表示部
１２    左側表紙（左側面）
１３    交換式プレート
１４    交換式フレーム
１４ａ  鈎爪
１５    書誌表示部
１６    開閉ボタン
１７    押ボタン
１８    記憶媒体挿入部
２１    右側表示部
２２    右表紙（右側面）
２３    交換式プレート
２４    交換式フレーム
２４ａ  鈎爪
２５    収納装置
２５ａ  イジェクトボタン
２６    開閉ボタン
３１    蝶番
３１ａ  Ｖ字目鍔付
３２    蝶番
４１    蝶番
４２    蝶番
４２ａ  鍔
４３    蝶番
５１    角度調節装置
５２    円筒形部材
５２ａ  Ｖ字目
５２ｂ  鍔付き爪
５２ｃ  爪
５３    心棒
５３ａ  鍔
５３ｂ  爪
５４    コイルスプリング
５５    ノックキャップ
６１    蝶番の上方軸芯
６１ａ  蝶番の中方軸芯
６１ｂ  蝶番の下方軸芯
６２    電源スイッチ
６３    ピポット式ピン金具
７１    指令スイッチ装置
７１ａ  矩折り
７２    テンキー
７３    表示部
７４    実行ボタン
７５    クリアボタン
１０１    中央処理部（ＣＰＵ）
１０２    指令スイッチ信号入力部
１０３    従来スイッチ信号入力部
１０４    記憶媒体読み出し部
１０５    表示駆動部
１０６    本文表示素子
１０７    本文表示素子
１０８    書誌表示素子
１１１    ＲＯＭ
１１２    ＲＡＭ
１１３    ページ再生処理部
１１４    任意ページ表示処理部
１１５    特定ページ表示処理部
１１６    検索処理部
【図１】
2005107467.tif 000003
【図２】
2005107467.tif 000004
【図３】
2005107467.tif 000005
【図４】
2005107467.tif 000006
【図５】
2005107467.tif 000007
【図６】
2005107467.tif 000008
【図７】
2005107467.tif 000009
【図８】
2005107467.tif 000010
【図９】
2005107467.tif 000011
【図１０】
2005107467.tif 000012
【手続補正書】
【提出日】平成15年10月2日(2003.10.2)
【手続補正１】
【補正対象書類名】図面
【補正対象項目名】全図
【補正方法】変更
【補正の内容】
【図１】
2005107467.tif 000013
【図２】
2005107467.tif 000014
【図３】
2005107467.tif 000015
【図４】
2005107467.tif 000016
【図５】
2005107467.tif 000017
【図６】
2005107467.tif 000018
【図７】
2005107467.tif 000019
【図８】
2005107467.tif 000020
【図９】
2005107467.tif 000021
【図１０】
2005107467.tif 000022